(57)【特許請求の範囲】
【請求項１】
下部ケース（２０）の上側に上部ケース（１０）を結合固定してマウス（２００）を構成し、
前記マウス（２００）の下部ケース（２０）には光センサーと基板が搭載されるボディ（５０）が差し込まれて上下移動されるように結合し、
前記ボディ（５０）と上部ケース（１０）との間にはスプリング（３０）を介して結合し、
前記ボディ（５０）には、外部上側に係止顎（５１）を形成する一方、下部ケース（２０）には所定の高さの係止突起（２２）を形成して、係止突起（２２）に係止顎（５１）が係止されるようにし、
前記ボディ（５０）はスプリング（３０）の弾性力によって下部ケース（２０）の下側に突出された状態を保持し、上部ケース（１０）が押される時スプリング（３０）を圧着して下部ケース（２０）の内側にボディ（５０）が差し込まれるように下降し、上部ケース（１０）を押す力がなくなる時スプリング（３０）の弾性力によって下部ケース（２０）が上部に移動してボディ（５０）が露出されることを特徴とするコンピュータ用マウス。
【請求項２】
マウス（３００）の上部に突出されるスクロールホイール（１６）と光センサー（６６）及び基板が組み立てられるボディ（６０）を備え、前記ボディ（６０）の側面上側に組立翼（６１）を突出させ、
前記ボディ（６０）が内部で上下移動されるように差し込まれ、組立翼（６１）に支持されて下部に抜けないように結合される下部ケース（２０）を備え、前記ボディ（６０）の前方と下部ケース（２０）の前方を回動されるように結合させる結合手段（７０）を備え、
前記下部ケース（２０）の上側にインナーケース（４０）を結合し、前記インナーケース（４０）の上側にクリックボタン（１５）と上部ケース（１０）を組み立てる一方、スクロールホイール（１６）が突出されるようにし、前記ボディ（６０）の上側とインナーケース（４０）の下側との間を結合させたままインナーケース（４０）を弾力的に支持するスプリング（３０）を備えて構成されることを特徴とするコンピュータ用マウス。
【請求項３】
ボディ（６０）の前方で下部ケース（２０）をヒンジ形態で結合させる結合手段（７０）は、ボディ（６０）の前方に棒形の回動軸（７１）が挿入される結合溝（７２）を形成する一方、前記結合溝（７２）の側面に固定ネジ（７４）が挿入される固定ボス（７３）を形成し、下部ケース（２０）には、前方内側に突出される回動軸（７１）を形成し、前記回動軸（７１）は結合溝（７２）に支えられた状態で結合溝（７２）の上側に結合カバー（７５）を被せ、前記結合カバー（７５）は固定ネジ（７４）を固定ボス（７３）に打ち込んで固定させることにより回動軸（７１）がヒンジ結合されるようにすることを特徴とする請求項２に記載のコンピュータ用マウス。
【請求項４】
下部ケース（２０）に支えられたまま挿入されるボディ（６０）は前方から後方に行くほど高さが高くなるようにし、前記ボディ（６０）の上部外側に形成される組立翼（６１）も前方より後方が高く形成されることを特徴とする請求項２に記載のコンピュータ用マウス。
【請求項５】
スプリング（３０）は上部ケース（１０）の下側でインナーケース（４０）とボディ（６０）との間に設置される一方、クリックボタン（１５）の下側でインナーケース（４０）とボディ（６０）との間にもスプリング（３１）が設置されることを特徴とする請求項２に記載のコンピュータ用マウス。
【発明の詳細な説明】
【技術分野】
【０００１】
本発明は、コンピュータ入力装置であるコンピュータ用マウスに関するもので、マウスに加えられる力によってマウスが上下にクッション機能を持って動くことができるようにすることにより、手首の疲労度を減少し、肩痛を減少するようにする。
【背景技術】
【０００２】
コンピュータは現代社会では必須的に用いられるものであり、コンピュータの入力装置として用いられるマウスは把持力による高さ調整機能がないため、会社員、プロゲーマー、ＣＡＤ作業者などマウスを長時間使用する使用者は、手首と指に疲労を感じるようになる。
【０００３】
コンピュータ用マウスは、使用者が手で包む形態で握った後、前、後、左、右に移動したり、前方上部に形成されたスクロールホイールを前後に回転させたり、スクロールホイールの左右側に形成されたクリックボタンをクリックしたり、マウスの側面に設置されたボタンを押しながら使用している。
【０００４】
マウスは、使用者の前腕は床面に接触し、手首は床面と離れるが、手の平でマウスを握った状態にマウスに対する操作が行われるため、マウスを操作する時に手首に無理な力が加えられて、マウスを使用する時間が経過すればするほど手首に疲労度が集中し、肩筋肉痛を感じるようになる。
【０００５】
つまり、マウスを手で握った状態で長時間使用すると、首と腕、肩の部分に力は小さいが継続的に力が加えられ、それにより筋肉が硬直して疲労感を増幅させ、ひどい場合、筋肉痛の原因となる。
【０００６】
このような問題を解決するために、大韓民国実用新案登録２０−０３４６２２１号のように、マウスを手で握って重量が加えられると、上部ケースがスプリングに弾力的に支持されたまま上下に移動する。大韓民国実用新案登録２０−０３４６２２２号のように、マウスを握る時、スプリングに弾設された突出接触部が弾力的に支持されたまま握るようにする。大韓民国実用新案登録２０−４５３６０５号のように、弾性材料のボディを利用して加圧時、凹むように変形された後、加圧が解除されると復帰されるようにしたが、マウスを握る力によって適切な弾性力を提供することが容易でなく、構造的に製作が難しいという問題があり、特に、手首に加えられる力によって柔軟な弾性力を提供することができなくて、滑らかな動作を期待することができない。
【先行技術文献】
【特許文献】
【０００７】
【特許文献１】大韓民国実用新案登録２０−０３４６２２１号（２００４．０３．１６登録）
【特許文献２】大韓民国実用新案登録２０−０３４６２２２号（２００４．０３．１６登録）
【特許文献３】大韓民国実用新案登録２０−０４５３６０５号（２０１１．０５．０６登録）
【特許文献４】大韓民国実用新案公開２０−２０１５−０００２２４４号（２０１５．０６．１５公開）
【発明の概要】
【発明が解決しようとする課題】
【０００８】
本発明はマウスに加えられる把持力によってマウスの上部ケースがスプリングの弾性力を利用して高さが調節されるに際に、マウスに加えられる力によってマウスの高さが柔軟に調節されることができるようにすることにより、使用時に手首に加えられる力によってマウスの滑らかな動作が保証されて、手首の疲労と肩痛を緩和させる。
【０００９】
本発明は簡単な構造によって製作され、且つ、手で把持する上部ケースに結合された下部ケースが床面に密着されるボディの前方に結合されたまま回動しながら高さが調節され、また、マウスのボディに上記下部ケースが結合されたままスプリングに弾力的に支持される。
【課題を解決するための手段】
【００１０】
本発明はマウスにクッション機能を提供して長期間マウスを使用しても手首と肩筋肉の疲労感及び筋肉痛を減少するもので、上部ケースと下部ケースを組み立ててマウスを製作し、床面に密着する下部ケースには上部に突出する突出箱を形成し、上部ケースの底面にはボスを固定させ、上記ボスは突出箱を貫通して結合され、上記ボスには突出箱に支えられるスプリングを外挿させる一方、ボスの底面は突出箱から離脱されないようにすることにより、上部ケースに加えられる力によって上部ケースがスプリングに弾力的に支持されて下部ケースに結合されたまま動きながらマウスに加えられる荷重を分散させる。
【００１１】
そして、本発明は、スクロールホイールが露出されるように設置される上部ケースの下側に下部ケースを結合させてマウスを構成し、上記下部ケースには床面に密着されたまま差し込まれるようにボディを結合し、上記ボディの上面と上部ケースの底面にスプリングが弾力的に支持されるように結合し、上記下部ケースに挿入されたボディは下部に突出されるだけで離脱されないように結合し、それによって、マウスを押す力によってボディが床面に密着されたままマウスがスプリングに弾力的に支持されて上下に移動する。
【００１２】
また、本発明は、マウスの前方上部に突出されるスクロールホイールが組み立てられ、且つ、光センサーと基板が組み立てられるボディを備え、上記ボディの側面に組立翼を突出するように形成し、上記ボディが内部に差し込まれて上下に移動されるだけで抜けないように結合される下部ケースを備え、上記ボディの前方と下部ケースの前方内側にはボディと下部ケースを結合させたまま回動されるようにする結合手段が備えられ、上記下部ケースの上側にインナーケースが結合され、上記インナーケースの上側にクリックボタンと上部ケースを組み立て、スクロールホイールが突出されるようにし、上記ボディの上側とインナーケースの下側を結合させたままスプリングによってインナーケースを弾力的に支持するスプリングを備えることにより行われる。
【発明の効果】
【００１３】
本発明は、マウスを把持する力によってマウスの高さが柔軟に変化しながら荷重を分散させるので、長時間使用しても手首の疲労度を減少し、肩痛や筋肉痛が発生しないという効果を奏する。
【００１４】
本発明は、マウスを握ってマウスに加えられる力に応じてスプリングを弾性力が変化しながら高さが変化して手首に加えられる衝撃を吸収し、マウスの前方を中心として上部ケースのみ回動しながら衝撃を緩和させるので、手首に無理を与えないながら、滑らかなマウス操作が行われるという効果を奏する。
【図面の簡単な説明】
【００１５】
【図１】本発明のマウス斜視図である。
【図２】本発明の第１実施例要部断面図である。
【図３】本発明の第２実施例要部断面図である。
【図４】本発明の第３実施例斜視図である。
【図５】本発明の第３実施例の上部ケース除去状態の斜視図である。
【図６】本発明の第３実施例の下部ケース除去状態の底面斜視図である。
【図７】本発明の第３実施例の要部断面図である。
【図８】本発明の第３実施例の動作状態側面図である。
【図９】本発明の第３実施例の要部分解側面図である。
【図１０】本発明の第３実施例の結合手段斜視図である。
【図１１】本発明の第３実施例のまた他の実施例の要部断面図である。
【発明を実施するための形態】
【００１６】
本発明はコンピュータ入力装置である有線または無線マウスを把持する力によってマウスが上下にクッション機能を有するようにすることにより、マウスに加えられる力が強いほど、マウスの高さが低くなり、マウスを押す力が弱い場合マウスの高さが高くなくもので、手でマウスを押す力によって滑らかに高さが調節されて手首の疲労度を減少し、また肩痛を減少するようにする。
【００１７】
本発明の第１実施例のマウスはスプリングに弾力的に支持されて高さが調節されるので、マウスで情報を入力する時に滑らかな操作が行われ、また手首に加えられる疲労度と痛みを減少することができ、マウスを上部ケースと下部ケースとを結合して製作し、上記上部ケースと下部ケースとの間をスプリングで弾力的に支持されるようにすることにより、マウスを把持する力によって上部ケースの高さが自動的に調節される。
【００１８】
このような本発明は床面に密着される下部ケースに内側に突出される突出箱を形成し、上部ケースの底面にボスを形成し、上記ボスは突出箱に差し込まれて抜けないようにし、上記突出箱の上部からボスにスプリングが外挿されるようにすることにより、上部ケースの下降時にスプリングが圧着されて弾性力を提供する。
【００１９】
そして、本発明の第２実施例のマウスは下部ケースにボディが差し込まれ、上記ボディは下部ケースで結合されたまま上下に移動するだけで下側に抜けないようにし、上記ボディと上部ケースとの間にはスプリングが弾力的に支持されるように設置され、マウスに力を加えない場合は、床面に接触したボディが露出されるように下部ケースが上部に移動し、力が加えられるにつれてスプリングが圧着され、下部ケースがボディを覆う形態で移動するので、マウスを握る手首の疲労と痛みを減少することができる。
【００２０】
一方、本発明の第３実施例のマウスは下部ケースの上側にインナーケースを結合し、インナーケースの上側にクリックボタンと上部ケースが被せられ、上記マウスの下部ケースにはスクロールホイールが組み立てられ、光センサーと基板が組み立てられるボディが差し込まれ、上記ボディは下部ケースの下側に抜けないように差し込まれ、上記ボディの上側とインナーケースとの間には弾性力を提供するスプリングを設置し、上記ボディの前方と下部ケースの前方内側には、ボディと下部ケースとを結合させたまま回動されるようにする結合手段が設置されることができ、マウスを把持する力によってボディが床面に密着された状態で上部ケースと下部ケースがスプリングを弾力的に支持して上下に移動し、ボディの前方と下部ケースの前方がヒンジで結合された状態で回動が行われる。
【００２１】
本発明の第１実施例は、下部ケースが床面に密着された状態で上記下部ケースの上部から離隔されて設置される上部ケースに加えられる力によってスプリングが圧着されて上部ケースが上下に移動され、第１実施例の上部ケースは前後に関係なく全体的に上下移動が行われる。
【００２２】
本発明の第２実施例は、下部ケースの底面にボディが突出されて床面に密着された状態で上部ケースに荷重が加えられると、上部ケースと結合された下部ケースがスプリングを圧着して下部に移動し、第２実施例の上部ケースと下部ケースは全体的に同じく上下に移動が行われる。
【００２３】
本発明の第３実施例は、下部ケースの底面にボディが突出して形成され、上記下部ケースの上側にインナーケースが被せられて固定されたクリックボタンと上部ケースが被せられて固定され、上記ボディとインナーケースとの間にスプリングを設置して上部ケースに加えられる力によってスプリングを圧着して弾発力を提供するようにし、上記ボディと下部ケースは結合手段によって前方でヒンジ結合されることにより床面に密着されたボディと上部ケースは結合手段を中心としてヒンジ運動をするようになる。
【００２４】
ここで、インナーケースは下部ケースの上部に被せられて固定され、上記インナーケースの上側にクリックボタンと上部ケースが被せられ、スクロールホイールが露出されるように結合される。
【００２５】
このような本発明を、添付された実施例の図面に基づいて詳しく説明すれば、次の通りである。
【００２６】
本発明の第１実施例は、図１〜図２に示したように、マウス１００を構成する上部ケース１０を把持する力によって、スプリング３０を圧着して上部ケース１０に弾発力を提供し、上部ケース１０の底面にボス１１を突出させ、上記ボス１１は床面に密着されたまま用いられる下部ケース２０の内側で上部に突出されるように形成した突出箱２１に挿入され、上記ボス１１は突出箱２１に挿入された状態で上下に移動が行われ、一方、突出箱２１の上部にはボス１１にスプリング３０が外挿されるようにすることにより、上部ケース１０が押されてボス１１が下降しながらスプリング３０を圧着させるようにする。
【００２７】
本発明では、マウス１００を握る力によって上部ケース１０が押される力が異なり、それによってスプリング３０が圧着される程度が異なるので、マウス１００を握る力によってマウス１００が垂直方向に上下に移動され、それにより、手首に加えられる疲労度と肩痛を減少することができる。
【００２８】
本発明の第１実施例は、床面に接触する下部ケース２０の上側に上部ケース１０を結合させてマウス１００を構成し、上記下部ケース２０の上側に突出させた突出箱２１に上部ケース１０の底面に突出させたボス１１を挿入し、突出箱２１の上部からボス１１にスプリング３０を外挿させることにより上部ケース１０が下部に移動する時、スプリング３０を圧着して下部に移動し、上部ケース１０を押す力が弱くなる場合、スプリング３０の弾発力によって上部ケース１０が上部に移動されて、手首に加えられる疲労度と痛みを減少することができる。
【００２９】
そして、本発明の第２実施例は、図３に示すように、第１実施例と異なって、下部ケース２０の上側に上部ケース１０を結合させてマウス２００を構成し、上記下部ケース２０にはボディ５０を結合させ、上記ボディ５０は外側に係止顎５１を形成し、また、下部ケース２０には係止突起２２を形成することにより、ボディ５０の係止顎５１が下部ケース２０の係止突起２２に支えられながら、ボディ５０が下部ケース２０の下側に抜けないで結合された状態を保持し、上記係止顎５１は、所定高さを有する位置に形成することにより、ボディ５０が床面に密着された状態で所定の高さに下部ケース２０を保持することができる。
【００３０】
本発明の第２実施例のボディ５０と上部ケース１０との間にはスプリング３０を設置して、上部ケース１０がボディ５０の上側でスプリング３０に弾力的に支持され、上部ケース１０と下部ケース２０は結合固定された状態を保持しながら、上部ケース１０に加えられる力によってスプリング３０が圧着されながら上部ケース１０が下部に押される。
【００３１】
従って、本発明の第２実施例では、下部ケース２０と結合された上部ケース１０で構成されたマウス２００が下部に押される時、スプリング３０を圧着して下部に押され、マウス２００を押す力が弱くなると、スプリング３０の弾発力によってマウス２００が上部に移動されて、最終的にはマウス２００に加えられる力によってマウス２００がスプリング３０に弾力的に支持された状態で用いられるようになって、手首に加えられる疲労度と痛みを減少することができる。
【００３２】
本発明の第３実施例は、図４〜図１１に示すように、下部ケース２０の上側にインナーケース４０を差し込んで固定させ、上記インナーケース４０の上側にクリックボタン１５と上部ケース１０を結合して固定し、下部ケース２０の底面にボディ６０が突出して結合され、上記ボディ６０の上面とインナーケース４０の底面との間にはスプリング３０を設置して上部ケース１０が下降する時スプリング３０を圧着して弾発力を提供するようにし、上記ボディ６０の前方と下部ケース２０の前方は結合手段７０にヒンジ結合され、ボディ６０が床面に密着された状態で上部ケース１０に荷重が加えられる時床面に密着されたボディ６０と下部ケース２０は結合手段７０を中心としてスプリング３０を圧着してヒンジ運動をする。
【００３３】
本発明の下部ケース２０に結合されたボディ６０は外部上側に組立翼６１を突出されるように形成し、下部ケース２０の内側に形成された穴にボディ６０を差し込む時、ボディ６０の大部分は下部ケース２０の下部に露出されるが、組立翼６１が下部ケース２０の床面に支えられるので、ボディ６０は下部ケース２０の下側に離脱しないようになる。
【００３４】
ここで、ボディ６０は、前方から後方に行くほど高さが漸次に高くなることにより、ボディ６０の前方に設置される結合手段７０を中心として下部ケース２０が上下に移動されることができる。
【００３５】
本発明のボディ６０の前方で下部ケース２０をヒンジ形態で結合させる結合手段７０は、棒形の回動軸７１が挿入される結合溝７２を形成し、上記結合溝７２の側面に固定ネジ７４が挿入される固定ボス７３を形成し、下部ケース２０の前方内側に突出して形成される回動軸７１が上記結合溝７２にわたるようにした状態で、結合溝７２の上側に結合カバー７５で被せた後上記結合カバー７５は、固定ネジ７４を固定ボス７３に打ち込むことによって、回転軸７１が結合された状態で回動されることができるようにする。
【００３６】
ここで、結合カバー７５にも回動軸７１を半円形に囲む結合溝を形成することにより、回動軸７１は結合溝７２と結合カバー７５に挿入された状態で回動が行われる。
【００３７】
本発明のボディ６０には上側にスクロールホイール１６が設置され、また、光センサー６６と公知の基板が設置され、下部ケース２０の上側にはインナーケース４０を差し込んで固定し、上記インナーケース４０の上側にクリックボタン１５を設置する一方上部ケース１０を被せ、上記スクロールホイール１６はクリックボタン１５の上側に一部が突出される。
【００３８】
本発明の第３実施例では、クリックボタン１５の押圧はインナーケース４０の下部に設置された公知の検知素子を利用して検出が行われ、上部ケース１０を取り外す場合インナーケース４０の内側に電源供給用電池８０が設置され、このような検出素子及び電池８０の設置などは当業界の公知技術であり、本発明は有無線マウスに適用可能であり、無線マウスである場合リモート送受信装置がさらに備えられる。
【００３９】
本発明の第３実施例は、インナーケース４０とボディ６０との間に弾性手段であるスプリング３０を設置して弾力的に支持されることができるようにし、インナーケース４０とボディ６０との間に上部ケース１０が押される場合圧着されて弾性力を提供するスプリング３０を設置し、上記スプリング３０は別途の突出ボスを利用して差し込まれることができ、また、上記スプリング３０はインナーケース４０とボディ６０との間に差し込まれて設置されもので、押される場合弾発力を提供する。
【００４０】
本発明の第３実施例で、弾性力を提供するスプリング３０はマウス３００を側面から見た時、上部ケース１０の底面側のみで両側に設置されるが、必要に応じて、クリックボタン１５の下側にもスプリング３１を設置しても構わなく、マウス３００を使用する時、一方向に設置されたスプリング３０のみ使用しても構わないが、場合によって、両側に設置されるスプリング３０、３１を全部使用することができる。
【００４１】
本発明の第３実施例は、床面に密着されたボディ６０の前方に設置される結合手段７０を中心として上部ケース１０が上下に回動することで、滑らかな動作を保証する一方、少力でも確実な動作が行われ、手首に加えられる疲労度と肩痛を伴わなく、長時間マウス３００を利用することができる。
【００４２】
このような本発明の第１実施例は、図面に示すように、マウス１００を構成する上部ケース１０を把持する力が加えられると、上部ケース１０が下降しながらスプリング３０を圧着して弾発力を提供することで、マウス１００を握る力によってマウス１００が上下に移動されるので、力を入れずに滑らかにマウス１００を操作することができて、手首の疲労度と肩痛を減少することができる。
【００４３】
本発明の第１実施例は、マウス１００を握ると、上部ケース１０の底面にボス１１がスプリング３０を圧着しながら下部ケース２０の底面から上部に突出されるように形成した突出箱２１に差し込まれるので、上部ケース１０は、スプリング３０によって弾力的に支持され、マウス１００を握る力によって上部ケース１０が押される程度が変わり、これに応じてスプリング３０が圧着される程度が異なるので、マウス１００を握る力によってマウス１００が滑らかに垂直方向に上下移動しながら手首に加えられる疲労度と肩痛を減少することができる。
【００４４】
そして、本発明の第２実施例は、図面に示すように、下部ケース２０の上側に上部ケース１０を結合固定してマウス２００を構成し、上記下部ケース２０の床面にボディ５０を結合させ、上記ボディ５０と上部ケース１０との間にはスプリング３０を設置し、ボディ５０が床面に接触し、下部ケース２０は底から離隔された状態で、上部ケース１０を手で握ると、把持する力によってマウス２００がスプリング３０を圧着して弾発力を提供することになり、上記マウス２００を握る力が少なくなる時、スプリング３０の復元力によってボディ５０が露出されながらマウス２００は上部に移動される。
【００４５】
このような本発明の第２実施例では、マウス２００を握ると、下部ケース２０と結合された上部ケース１０とで構成されたマウス２００が下部に押されながらスプリング３０を圧着し、マウス２００を押す力が弱くなると、スプリング３０の弾発力によってマウス２００が上部に移動され、マウス２００に加えられる力によってマウス２００の高さが低くなるので、長時間使用しても手首に加えられる疲労度と痛みを減少することができる。
【００４６】
本発明の第３実施例は、図面に示すように、ボディ６０の底面は床面に密着された状態を保持し、マウス３００を握らない状態では、ボディ６０の組立翼６１の下側に側面で全部露出され、この時、ボディ６０は、後方に漸次に高さが高くなるので、ボディ６０の前方はほとんど露出されないが、ボディ６０の後部はかなり露出される。
【００４７】
この状態では、スプリング３０が圧着されない状態になり、この状態でマウス３００を握ると、マウス３００を握るによって上部ケース１０が下部に押され、それにより、スプリング３０が圧着されながら、下部ケース２０が下部に移動され、上記下部ケース２０は内部にボディ６０を備えた形態で下降される。
【００４８】
この時、ボディ６０は床面に密着されて固定された状態であり、上記ボディ６０の前方でインナーケース４０に形成された回動軸７１が結合溝７２と結合カバー７５によって結合された状態であるので、上部ケース１０が結合されたインナーケース４０が上側に結合される下部ケース２０のみ回動軸７１を中心として回動しながら下部に移動される。
【００４９】
つまり、マウス３００を握る力によって回動軸７１を中心として上部ケース１０が下降しながらスプリング３０を圧着し、マウス３００を握る力が減少すれば、スプリング３０の弾性力によって上部ケース１０が上部に上げられる。
【００５０】
ここで、本発明の下部ケース２０に結合されたボディ６０は、外部上側に組立翼６１を突出されるように形成し、下部ケース２０の内側から下側にボディ６０が突出されるように差し込まれる時、組立翼６１が下部ケース２０の床面に支えられながら差し込まれることにより、ボディ６０の大部分は露出されるが組立翼６１の上側は露出されず、また、下部ケース２０でボディ６０が下部に離脱されない。
【００５１】
本発明のボディ６０には上側にスクロールホイール１６が設置され、また光センサー６６と公知の基板が設置され、下部ケース２０の上側にはインナーケース４０を差し込んで固定し、一方、上記インナーケース４０の上側にクリックボタン１５と上部ケース１０を被せ、上記スクロールホイール１６はクリックボタン１５の上側に一部が突出される。
【００５２】
本発明の第３実施例では、弾性力を提供するスプリング３０は、マウス３００を側面から見た時、上部ケース１０の底面側のみで両側に設置されているが、クリックボタン１５の下側にもスプリング３１を設置することができ、マウス３００を使用する時、一方向に設置されたスプリング３０のみ使用するか、両側に設置されるスプリング３０、３１を全部使用することができる。
【００５３】
以上、本発明の第３実施例では、床面に密着されたボディ６０の前方に設置される結合手段７０を中心としてマウス３００が上下に回動し、滑らかな動作を保証する一方、少力でも確実な動作が行われて、手首に加えられる疲労度と肩痛を伴わなく、長時間マウス３００を使用することができる。
【図１】
0006640873.tif 000002
【図２】
0006640873.tif 000003
【図３】
0006640873.tif 000004
【図４】
0006640873.tif 000005
【図５】
0006640873.tif 000006
【図６】
0006640873.tif 000007
【図７】
0006640873.tif 000008
【図８】
0006640873.tif 000009
【図９】
0006640873.tif 000010
【図１０】
0006640873.tif 000011
【図１１】
0006640873.tif 000012